(57)【要約】【課題】ヒューバー針抜取装置において、より簡単で安全にヒューバー針を抜き取ることを可能とすることである。【解決手段】一対の羽根６の境界部８内を延伸して先端部７で延伸方向に交わる方向に曲がるヒューバー針２に対し、ヒューバー針２が刺された皮膚と一対の羽根６との間に先端部７側から挿入してヒューバー針２を抜き取るためのヒューバー針抜取装置１０であって、一対の羽根６を挟持してヒューバー針２を引き抜くために持ち上げられる第１パーツ１２と、第１パーツ１２の持ち上げを案内する第２パーツ１４と、を備える。【選択図】図１
2017148322.tif 000002
【特許請求の範囲】
【請求項１】
一対の羽根の境界部内を延伸して先端部で前記延伸方向に交わる方向に曲がるヒューバー針に対し、前記ヒューバー針が刺された皮膚と前記一対の羽根との間に前記先端部側から挿入して前記ヒューバー針を抜き取るためのヒューバー針抜取装置であって、
前記一対の羽根を挟持して前記ヒューバー針を引き抜くために持ち上げられる第１パーツと、
前記第１パーツの持ち上げを案内する第２パーツと、
を備えることを特徴とするヒューバー針抜取装置。
【請求項２】
請求項１に記載のヒューバー針抜取装置において、
前記第２パーツは、前記皮膚と前記一対の羽根との間に挿入される土台部と、前記土台部に立設して前記第１パーツの持ち上げを案内する案内部とを有し、
前記第１パーツは、前記一対の羽根の皮膚当接側に接触して前記一対の羽根を挟持する挟持部と、前記案内部が挿入される貫通孔を含み前記持ち上げる方向に外力が与えられる引掛部とを有することを特徴とするヒューバー針抜取装置。
【請求項３】
請求項１または請求項２に記載のヒューバー針抜取装置において、
前記第１パーツは、前記先端部側から前記皮膚と前記一対の羽根との間に挿入された際に前記境界部を引き上げるための傾斜部を有することを特徴とするヒューバー針抜取装置。
【請求項４】
請求項１から請求項３のいずれか１項に記載のヒューバー針抜取装置において、
前記第１パーツは、前記先端部側から前記皮膚と前記一対の羽根との間に挿入された際に前記先端部を前記挟持部から退出させる切欠部を有することを特徴とするヒューバー針抜取装置。
【請求項５】
請求項１から請求項４のいずれか１項に記載のヒューバー針抜取装置において、
前記第１パーツは、前記ヒューバー針を引き上げながら前記ヒューバー針を前記土台部上の安全退避部に退避させるために回動するように設けられた凹部と、
前記第２パーツは、前記回動を案内するように設けられた凸部と、
を備えることを特徴とするヒューバー針抜取装置。
【発明の詳細な説明】
【技術分野】
【０００１】
本発明は、ヒューバー針抜取装置に関する。
【背景技術】
【０００２】
従来、がん化学療法や高カロリー輸液の投与は、皮膚内に埋め込まれた皮下埋没型中心静脈ポート（以下では、ＣＶポートという）に専用針であるヒューバー針を針刺して行われる。ＣＶポートにおいて、ヒューバー針を抜き差しする部分は、シリコンゴムで構成されており、針の抜差しには、強い力が必要となっている。そして、ヒューバー針の抜針作業は、医師や看護師のみならず患者自身や患者の家族も行うことがあり、針刺し事故の虞がある。
【０００３】
本発明に関連する技術として、例えば、特許文献１には、一対の板状部材が各々ウィングの上側に位置するように谷折線で折り畳まれた状態で、穿刺部を覆うように山折線にて下敷板を山折しながら、穿刺部を患者の皮膚から抜き取るヒューバー針抜取補助具が開示されている。
【先行技術文献】
【特許文献】
【０００４】
【特許文献１】特開２０１４−２３３５３７号公報
【発明の概要】
【発明が解決しようとする課題】
【０００５】
上記特許文献１の構成によれば、ヒューバー針を患者の皮膚から抜き取ることが可能であるが、ウィングを横方向から押さえつけて一対の板状部材を起立させるのに相当の力を加える必要がある。
【０００６】
本発明の目的は、より簡単で安全にヒューバー針を抜き取ることを可能とするヒューバー針抜取装置を提供することである。
【課題を解決するための手段】
【０００７】
本発明に係るヒューバー針抜取装置は、一対の羽根の境界部内を延伸して先端部で前記延伸方向に交わる方向に曲がるヒューバー針に対し、前記ヒューバー針が刺された皮膚と前記一対の羽根との間に前記先端部側から挿入して前記ヒューバー針を抜き取るためのヒューバー針抜取装置であって、前記一対の羽根を挟持して前記ヒューバー針を引き抜くために持ち上げられる第１パーツと、前記第１パーツの持ち上げを案内する第２パーツと、  を備えることを特徴とする。
【０００８】
また、本発明に係るヒューバー針抜取装置において、前記第２パーツは、前記皮膚と前記一対の羽根との間に挿入される土台部と、前記土台部に立設して前記第１パーツの持ち上げを案内する案内部とを有し、前記第１パーツは、前記一対の羽根の皮膚当接側に接触して前記一対の羽根を挟持する挟持部と、前記案内部が挿入される貫通孔を含み前記持ち上げる方向に外力が与えられる引掛部とを有することが好ましい。
【０００９】
また、本発明に係るヒューバー針抜取装置において、前記第１パーツは、前記先端部側から前記皮膚と前記一対の羽根との間に挿入された際に前記境界部を引き上げるための傾斜部を有することが好ましい。
【００１０】
また、本発明に係るヒューバー針抜取装置において、前記第１パーツは、前記先端部側から前記皮膚と前記一対の羽根との間に挿入された際に前記先端部を前記挟持部から退出させる切欠部を有することが好ましい。
【００１１】
また、本発明に係るヒューバー針抜取装置において、前記第１パーツは、前記ヒューバー針を引き上げながら前記ヒューバー針を前記土台部上の安全退避部に退避させるために回動するように設けられた凹部と、前記第２パーツは、前記回動を案内するように設けられた凸部と、を備えることが好ましい。
【発明の効果】
【００１２】
本発明によれば、一対の羽根を挟持してヒューバー針を引き抜くために持ち上げられる第１パーツによって、ヒューバー針を垂直方向に引き抜くことができる。したがって、より簡単で安全にヒューバー針を引き抜くことができる。
【図面の簡単な説明】
【００１３】
【図１】本発明に係る実施形態において、ヒューバー針抜取装置を示す斜視図である。
【図２】本発明に係る実施形態において、ヒューバー針の斜視図である。
【図３】本発明に係る実施形態において、第１パーツの斜視図である。
【図４】本発明に係る実施形態において、第２パーツの斜視図である。
【図５】本発明に係る実施形態において、図３のＡ−Ａ線断面図である。
【図６】本発明に係る実施形態において、ヒューバー針抜取装置を用いてヒューバー針を引き抜いている様子を示す図である。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、ヒューバー針抜取装置１０を示す斜視図である。図２は、ヒューバー針２の斜視図である。図３は、第１パーツ１２の斜視図である。図４は、第２パーツ１４の斜視図である。図５は、図３のＡ−Ａ線断面図である。
【００１６】
ヒューバー針抜取装置１０は、第１パーツ１２と、第２パーツ１４とを備え、第１パーツ１２を第２パーツ１４に装着して構成される。ヒューバー針抜取装置１０は、がん化学療法や高カロリー輸液の投与などを行うために用いられるヒューバー針２について、ヒューバー針２が刺された皮膚と一対の羽根６との間にヒューバー針２の先端部７側から挿入してヒューバー針２を抜き取るための装置である。
【００１７】
なお、ヒューバー針２は、ヒューバー針抜取装置１０の構成要素ではないが、ヒューバー針抜取装置１０の特徴を説明するために欠かせない要素であるため、最初にヒューバー針２について説明する。
【００１８】
ヒューバー針２は、ＣＶポートを介して、がん化学療法や高カロリー輸液の投与するための専用針であり、基端部３が薬剤を流すチューブ１に連通され、一対の羽根６の境界部８内を延伸する延伸部２Ａと、先端部７で略直角に曲げられて延伸する針刺部２Ｂとを有している。ヒューバー針２は、適度な強度を有する材質、例えば、ステンレススチールで構成されている。ヒューバー針２の延伸部２Ａの両側には、左右対称の一対の羽根６が設けられており、ヒューバー針２が羽根６の中央線に沿って設けられた境界部８の中を貫通している。なお、一対の羽根６は、適度な強度と柔軟性のバランスが取れた材質、例えば、シリコンを用いて構成されている。
【００１９】
一対の羽根６は、ヒューバー針２を皮膚に刺した際に底面６Ｂが皮膚に接触するように開き、ヒューバー針２を抜き取る際に一対の羽根６の上面６Ｔ同士が接近するように閉じる状態となる。一対の羽根６には、それぞれ対応する位置に貫通孔５が形成されている。一対の羽根６には、羽根６を閉じた際に相手側の羽根６の貫通孔５に挿入される突起５Ａが設けられている。各突起５Ａをそれぞれ相手側の貫通孔５に嵌合させることにより、羽根６を閉じた状態を保つことができる。
【００２０】
第１パーツ１２は、一対の羽根６を挟持してヒューバー針２を引き抜くために持ち上げられる部品である。第１パーツ１２は、本体部２０と、挟持部２２と、引掛部２４と、傾斜部２６と、切欠部２８とを備える。第１パーツ１２は、適度な強度を有する材質、例えば、熱硬化性樹脂を用いて構成することができる。
【００２１】
本体部２０は、略四角柱形状を有し、上面視の中央部には、第２パーツ１４の案内部４２が挿入される貫通孔３０が形成されている。貫通孔３０の孔面積は、案内部４２の断面積より若干大きくなるように設定されている。貫通孔３０の略中央における断面図（図３のＡ−Ａ線断面図）である図５に示されるように本体部２０には、ヒューバー針２を引き上げながらヒューバー針２を土台部４０上の安全退避部４５に退避させるために第１パーツ１２を回動するように形成された略Ｖ字形状の凹部３１を備える。
【００２２】
図５に示されるように、凹部３１の略Ｖ字の一方側凹部３１Ａは貫通方向に対して交わる方向で切削され、他方側凹部３１Ｂは貫通方向に沿って切削されている。また、本体部２０は、背面側において、第２パーツの凸部４４を回避しつつ第１パーツ１２を第２パーツ１４に装着するために貫通方向に沿って形成された溝部３３を備えている。
【００２３】
挟持部２２は、一対の羽根６の皮膚当接側である底面６Ｂに接触して、一対の羽根６を挟持する部分である。挟持部２２は、本体部２０の両端下部において本体部２０の正面側から突出して設けられている。挟持部２２は、下方に向かうほど間隔が狭くなるように２つの略平板部材が傾斜した状態で設けられている。挟持部２２において本体部２０から最も離れた手前側には、貫通孔５に嵌合するための突起部２７が取り付けられている。突起部２７は、略円柱形状を有して平板面に立設して設けられている。
【００２４】
引掛部２４は、本体部２０の両端上部において挟持部２２の突出方向に略垂直となる方向にそれぞれ突出して形成される部分であり、第１パーツ１２が装着された第２パーツ１４の案内部４２の上部側に第１パーツ１２が上昇移動するように外力が与えられる。ヒューバー針２が挿入される手前側から第１パーツ１４を見た時に本体部２０と引掛部２４とで略Ｔ字を構成している。
【００２５】
傾斜部２６は、ヒューバー針２の先端部７側から皮膚と一対の羽根６との間に挿入された際に境界部８を引き上げるための部分である。傾斜部２６は、挟持部２２の下部において挟持部２２に立設され、所定の厚みを有する略平板部材である。傾斜部２６は、ヒューバー針２が挿入される手前側に向かうほど厚みが薄くなるようなテーパー形状を有している。
【００２６】
切欠部２８は、ヒューバー針２の先端部７側から皮膚と一対の羽根６との間に挿入された際に先端部７を挟持部２２から貫通孔３０へ退出させる部分である。切欠部２８は、本体部２０の正面側下部において略Ｕ字形状（図ではＵ字を反対にした形状）を有するように形成される。
【００２７】
第２パーツ１４は、第１パーツ１２の持ち上げを案内する部品である。第２パーツ１４は、土台部４０と、案内部４２とを備える。第１パーツ１２の貫通孔３０に第２パーツ１４の案内部４２を挿入し、第１パーツ１２を第２パーツ１４に装着することで、ヒューバー針抜取装置１０として用いることができる。
【００２８】
土台部４０は、ヒューバー針２が針刺される皮膚と一対の羽根６との間に挿入される部分である。土台部４０は、略Ｃ字形状の平板部材であり、略Ｃ字を構成する切欠きの上方に第１パーツ１２の挟持部２２が位置するように第１パーツ１２が第２パーツ１４に装着される。土台部４０の上面には、ヒューバー針２の安全退避部４５が形成されている。安全退避部４５は、シリコン又はゴム等の柔軟性を有する材料が充填された安全領域を囲む略Ｃ字状の外壁を備えている。
【００２９】
案内部４２は、土台部４０に立設して第１パーツ１２の持ち上げを案内する部分である。案内部４２は、円柱形状を有しており、土台部４０の略中央部に立設される。案内部４２の高さは、第１パーツ１２の本体部２０よりも高く、第２パーツ１４を第１パーツ１２に装着した際に、図１に示されるように案内部４２が突出した状態となる。案内部４２は、第１パーツ１２を第２パーツ１４に装着した際の突出部分に設けられた凸部４４を備える。
【００３０】
凸部４４は、ヒューバー針２を引き上げながらヒューバー針２を土台部４０上の安全退避部４５に退避させるために回動するように設けられている。凸部４４が設けられる高さは、ヒューバー針２の針刺部２Ｂの長さＬを考慮して設定される。ここで、土台部４０の厚みをＸとした場合に、凸部４４の高さ位置は、少なくともＬ＋Ｘとなる高さに設定される。凸部４４の厚みγは、第１パーツ１２の凹部３１の深さαよりも小さくなるように設定される。
【００３１】
続いて、上記構成のヒューバー針抜取装置１０の動作について説明する。図６は、ヒューバー針抜取装置１０を用いてヒューバー針２を引き抜いている様子を示す図である。
【００３２】
最初に、ヒューバー針２が針刺されている付近にヒューバー針抜取装置１０を持ってくる。その後、片手の指（例えば、親指と人差し指）で一対の羽根６を閉じるように挟み込む。その状態を保ちつつ、ヒューバー針２の先端側７から一対の羽根６が挟持部２２内に入るように、もう一方の手を用いてヒューバー針抜取装置１０を移動させる。
【００３３】
一対の羽根６を挟持部２２の奥側まで押し込むと境界部８が第１パーツ１２の傾斜部２６のテーパーに沿って押し上げられる。さらに奥側まで押し込むことで、ヒューバー針２の先端部７が切欠部２８を介して挟持部２２から退出される。これにより、境界部８が傾斜部２６によってしっかりと支持される状態となる。
【００３４】
そして、この状態にしてから上記片手の指を離すことで、一対の羽根６の貫通孔５が挟持部２２の突起部２７に嵌合される。これにより、一対の羽根６が挟持部２２にしっかりと固定された状態となる。
【００３５】
次に、上記もう一方の手の親指で第２パーツ１４の上面１５に接触させ、人差し指と中指を本体部２０の両側に位置する引掛部２４の底面側に引っ掛ける。そして、親指で第２パーツ１４の上面１５を抑えながら、人差し指と中指で引掛部２４を引き上げるように力を加える。
【００３６】
この結果、第１パーツ１２は、第２パーツ１４の案内部４２によって案内されて持ち上げられる。これにより、傾斜部２６が境界部８を持ち上げることでヒューバー針２が引き抜かれる方向に力が加わり、その結果ヒューバー針２が抜針される。このとき、ヒューバー針２は、垂直方向に引き抜かれているため、小さい力で引き抜くことができる利点がある。また、上述したように、ヒューバー針２をヒューバー針抜取装置１０に取り付けた後は、上記片手はヒューバー針２から離れた状態となり、もう一方の手も第２パーツ１４の上面１５と引掛部２４以外は接触していない。この状態を保ちつつ、ヒューバー針２を引き抜くことができるため、より安全に抜針作業を行うことができるという効果がある。
【００３７】
そして、そのまま第１パーツ１２を持ち上げていくと、第２パーツ１４の凸部４４が第１パーツ１２の凹部３１内に進入して一方側凹部３１Ａを擦動する。この一方側凹部３１Ａは、貫通方向に対して斜めの方向に形成されているため、第１パーツ１２は、図６に示されるように、安全退避部４５の位置まで回動する。
【００３８】
その後、上記片方の手を離した場合、第２パーツ１４の凸部４４は、重力に従って、第１パーツ１２の凹部３１の他方側凹部３１Ｂ内に進入する。この他方側凹部３１Ｂは、貫通方向に沿って形成されているため、ヒューバー針２が、そのまま垂直に下がって安全退避部４５に針刺される状態となる。したがって、ヒューバー針抜取装置１０を用いてヒューバー針２を抜針して、第１パーツ１２を安全退避部４５の上方まで移動させた後、仮に手を離した場合であっても、ヒューバー針２がそのまま垂直に下がって安全退避部４５に刺さって固定することができ、その状態でヒューバー針２を廃棄することができる。これにより、上記のように抜針作業を行う際の安全性を確保するだけでなく、抜針後のヒューバー針２の針刺し事故を抑制することができるという利点がある。
【符号の説明】
【００３９】
２  ヒューバー針、３  基端部、５  貫通孔、５Ａ  突起、６  羽根、６Ｂ  底面、６Ｔ  上面、７  先端部、８  境界部、１０  ヒューバー針抜取装置、１２  第１パーツ、１４  第２パーツ、２０  本体部、２２  挟持部、２４  引掛部、２６  傾斜部、２７  突起部、２８  切欠部、３０  貫通孔、３１  凹部、３１Ａ  一方側凹部、３１Ｂ  他方側凹部、３３  溝部、４０  土台部、４２  案内部、４４  凸部、４５  安全退避部。
【図１】
2017148322.tif 000003
【図２】
2017148322.tif 000004
【図３】
2017148322.tif 000005
【図４】
2017148322.tif 000006
【図５】
2017148322.tif 000007
【図６】
2017148322.tif 000008